(57)【要約】【課題】安定した生産が可能であって、力の小さな子供でも開封可能で、しかも、途中で切れたりしない易開封蓋材、及びその易開封蓋材を用いた容器を得る。【解決手段】容器（１）の上面板あるいは上面近傍の壁面板に形成された開口部（３）を覆うように、天板外側から融着する蓋であって、蓋には開口部周縁に剥離可能な開口融着部（２２）を有し、開口融着部から離れた非融着部の一端に掴み部（２１）を有し、掴み部と開口融着部の間に前記上面板あるいは上面近傍の壁面板に剥離可能に融着する仮止め部（２３）を設け、掴み部と仮止め部との間に切り込み（２４）を設けた事を特徴とする易開封蓋材。【選択図】図２
2016150762.tif 000002
【特許請求の範囲】
【請求項１】
容器の上面板あるいは上面近傍の壁面板に形成された開口部を覆うように、外側から融着する蓋であって、
蓋には開口部周縁に剥離可能な開口融着部を有し、
開口融着部から離れた非融着部の一端に掴み部を有し、
掴み部と開口融着部の間に前記上面板あるいは上面近傍の壁面板に剥離可能に融着する仮止め部を設け、
掴み部と仮止め部との間に切り込みを設けた事を特徴とする易開封蓋材。
【請求項２】
切り込みが、仮止め部両端の幅範囲に入る小さな幅であることを特徴とする請求項１に記載の易開封蓋材。
【請求項３】
切り込みが、開口部に向かって開くＵ字型であることを特徴とする請求項１又は２に記載の易開封蓋材。
【請求項４】
開口融着部が、切り込み両端近傍外側に凸状の角部を有することを特徴とする請求項１〜３のいずれかに記載の易開封蓋材。
【請求項５】
仮止め部の両端に、掴み部に向かって凸状の突起を設けたことを特徴とする請求項１〜４のいずれかに記載の易開封蓋材。
【請求項６】
請求項１〜５のいずれかに記載の易開封蓋材を開口部に融着したことを特徴とする容器。
【発明の詳細な説明】
【技術分野】
【０００１】
本発明は、果汁飲料やコーヒー、液体スープ、茶系飲料、清涼飲料などの液体飲料を収納する紙容器などに使用する、紙を基材とする蓋であって、容器の開口部外側にシールし、容易に開口可能な易開封蓋材に関する。
【背景技術】
【０００２】
従来から、紙容器の１外壁面に開口部を設け、そこに開封可能な易開封蓋材で覆った紙容器が用いられている。紙容器は円筒形状、角筒形状、カップ形状、三角錐形状などがあり、このような紙容器は、単に易開封蓋材の一端を掴み、それを引き上げることで、易開封蓋材が融着された開口部を開封できるので、子供にも開封しやすい、外出先でも開封して飲み易い、紙容器本体と一緒に廃棄し易い、などのメリットがあり、自動販売機用の容器や、持ち運びする容器などにも使用されてきた。
【０００３】
しかし、開封するのに、例えば、図３−１で示すような仮接着部２３を有する易開封蓋材では、開封する際に、剥離する力が一箇所に集中せず、力が分散してしまう為、開口部から易開封蓋材を剥離しにくい問題があった。特に図３−１で使用している仮接着部２３は、直線部分が大きく、仮接着部２３の直線部分に対して直角方向に剥離する必要があるので、非常に大きな剥離強度を必要とする問題があった。
【０００４】
上記問題に対し、特許文献１では、図３−２の形状と融着部を持った易開封蓋材で、
容器の天板に形成された開口部を覆うように、紙製容器の外側からプルタブテープが装着された紙製容器の飲み口部シール構造であって、
プルタブテープの、天板との未シール部をつまんでプルタブテープのシール部分を剥離して開口部を露出させるに際し、
プルタブテープの引き剥がし方向と本シールの剥離開始部位が、それぞれ同一方向上に並ぶように本シールの位置・形状を設定したことを特徴とする紙製容器の飲み口部シール構造を提案している。
【０００５】
また、プルタブテープの天板へのシールが、仮付けシールと本シールにより行われるシールであって、
プルタブテープの、天板との未シール部をつまんでプルタブテープのシール部分を剥離して開口部を露出させるに際し、
プルタブテープの引き剥がし方向、仮付けシールの剥離開始部位、本シールの剥離開始部位が、それぞれ同一方向上に並ぶように、仮付けシールと本シールの位置・形状を設定した紙製容器の飲み口部シール構造も提案している。
【０００６】
さらに、開口部を露出させるに際し、
仮付けシール、本シールの少なくともどちらか一方のシール形状を、プルタブテープの引き剥がし方向に対して、剥離開始部位は狭く、引き剥がすに従い広くなるように設定したことを特徴とする紙製容器の飲み口部シール構造も提案している。
【０００７】
しかしながら、この特許文献１の飲み口部シール構造では、開封する摘み部分が端部にあってつまみ難い問題がある。
また、つまむプルタブテープの仮止めが設けられていないか、シール面内部に包含していて、形状に制約があって、生産が安定しにくく、剥離強度も部分的に大きく異なる問題も含んでいた。
さらに、仮止め部の剥離に力が必要とするので子供には開けにくいばかりではなく、プル
タブテープが途中で切れてしまい易い、などの問題も生じていた。
【先行技術文献】
【特許文献】
【０００８】
【特許文献１】特開平１０−１２９６９９号公報
【発明の概要】
【発明が解決しようとする課題】
【０００９】
そこで、安定した生産が可能であって、力の小さな子供でも開封可能で、しかも、途中で切れたりしない易開封蓋材、及びその易開封蓋材を用いた容器を得ることが本発明の課題である。
【課題を解決するための手段】
【００１０】
本発明の請求項１に係る発明は、
容器の上面板あるいは上面近傍の壁面板に形成された開口部を覆うように、外側から融着する蓋であって、
蓋には開口部周縁に剥離可能な開口融着部を有し、
開口融着部から離れた非融着部の一端に掴み部を有し、
掴み部と開口融着部の間に前記上面板あるいは上面近傍の壁面板に剥離可能に融着する仮止め部を設け、
掴み部と仮止め部との間に切り込みを設けた事を特徴とする易開封蓋材である。
【００１１】
本発明の請求項２に係る発明は、
切り込みが、仮止め部両端の幅範囲に入る小さな幅であることを特徴とする請求項１に記載の易開封蓋材である。
【００１２】
本発明の請求項３に係る発明は、
切り込みが、開口部に向かって開くＵ字型であることを特徴とする請求項１又は２に記載の易開封蓋材である。
【００１３】
本発明の請求項４に係る発明は、開口融着部が、切り込み両端近傍外側に凸状の角部を有することを特徴とする請求項１〜３のいずれかに記載の易開封蓋材である。
【００１４】
本発明の請求項５に係る発明は、仮止め部の両端に、掴み部に向かって凸状の突起を設けたことを特徴とする請求項１〜４のいずれかに記載の易開封蓋材である。
【００１５】
本発明の請求項６に係る発明は、請求項１〜５のいずれかに記載の易開封蓋材を開口部に融着したことを特徴とする容器である。
【発明の効果】
【００１６】
本発明の易開封蓋材は、切り込みによって、易開封蓋材を剥がす時に、仮止め部に集中して力が掛かり、小さな面積の部分に集中して剥離始めるので、剥く力が小さな力でも剥離できる。
【図面の簡単な説明】
【００１７】
【図１】本発明の易開封蓋材を融着した容器の第１実施形態を示す斜視図である。
【図２】本発明の易開封蓋材と容器との融着状態を説明する拡大図である。
【図３】従来の易開封蓋材と容器との融着状態を説明する拡大図である。
【図４】本発明の易開封蓋材0を融着した容器の第２実施形態を示す斜視図である。
【図５】本発明の易開封蓋材を融着した容器の第３実施形態を示す斜視図である。
【図６】本発明の易開封蓋材を融着した容器の第４実施形態を示す斜視図である。
【発明を実施するための形態】
【００１８】
以下、本発明の易開封蓋材の実施の形態例について、図を用いて詳細に説明する。
本発明の易開封蓋材２を用いた容器１は、図１で示すように、容器上面に開口し、内容物を注出可能な開口部３を設け、開口部３の外側周囲の融着面に易開封蓋材２をシールしている。
図１には、容器として、ゲーベルトップの形状を有する４角の横断面を持つ紙容器で示したが、主にシートを成形したどのような紙容器にも使用できる。
易開封蓋材２は、摘み部２１を掴み、容器１の上面１１に対して垂直方向に引き上げて剥離し、容器１に設けた開口部を開封させる。
【００１９】
図２に、本発明の易開封蓋材２と紙容器との融着状態を説明する拡大図を示した。
容器の開口部３の周囲に設けられた開口部周縁３１の周りの易開封蓋材２には、開口融着部２２が設けられている。
易開封蓋材２において、開口融着部２２から一番離れた位置で、かつ、非融着部位置に、掴み部２１が設けられている。
掴み部２１と開口融着部２２との間には、仮止め部２３が設けられている。
さらに、掴み部２１と、仮止め部２３との間に、切り込み２４が設けられている。
【００２０】
切り込み２４は、開口部に向かって開く方向に向いたＵの字状で、その切り込み幅は、仮止め部両端の幅範囲に入る小さな幅としている。
また、仮止め部２３の左右両端には掴み部２１に向かって、凸状の突起２３１が設けられている。
さらに、開口融着部２２の上端左右には、凸状の角部２２１を有している。この角部２２１は、仮止め部２３の突起２３１近傍になる。
【００２１】
易開封蓋材２を開封する工程を説明する。
易開封蓋材２の開封は、まず、掴み部２１を掴んで、融着面に対し直角方向に引き上げる。
この時、仮止め部２３の手前にある切り込み２４が、Ｕ字状で、開口部に向かって開いているので、易開封蓋材２が切れにくく、かつ、中央から先に剥離せず、左右両端に剥がす力が掛かる。特に、切り込み２４が、掴み部２１側に大きな角Ｒがある形状なので、無理な力が掛からずに、左右に分散していく。
仮止め部２３の左右両端には、掴み部２１に向かって、凸状の突起２３１が設けられているので、開封し始め、易開封蓋材２の掴み部２１側が剥がれ始めると、凸状の突起２３１から剥がれるようになる。
この部分は、尖って融着部が小さくなっているので、剥がす力は小さくて済むと共に、一端が剥がれ始めると、続いて仮止め部２３は容易に剥離していく。
【００２２】
仮止め部２３が剥がれ、さらに易開封蓋材２を引き上げると、開口融着部２２に剥離先端が達する。
開口融着部２２の上端は大きな曲率を有すると共に、上端左右には、凸状の角部２２１が設けられている。
仮止め部２３が剥がれて行く過程で、左右が先に剥離しているので、それがいくらか進むと、仮止め部２３の突起２３１近傍にある開口融着部２２の角部２２１も、剥がす力が掛かり始める。
開口融着部２２の角部２２１も、尖った形状なので、先端は融着部が小さく、剥がす力は小さくて済み、容易に剥離が開始される。
【００２３】
開口融着部２２は、角部２２１から剥離し始めると、大きな抵抗も無く、全体が剥離することが出来る。
そして、開口融着部２２が剥がれると、開口部３が中から出てきて、開封する。
【００２４】
本発明の易開封蓋材２を使用できる容器は、図１のようなゲーベルトップの紙容器だけではない。例えば、図４では、円柱状の紙管形状の容器で、天板１２部分に易開封蓋材２を用いている。
その他、図５ではフラットトップの紙容器の例で、上面１１に易開封蓋材２を用いた。さらに、図６には紙カップ形状の紙容器の例で、これも天板１２に易開封蓋材２を使用している。
この他、三角柱形状や八角柱形状の容器の天板に使用できる。さらに、三角錐や四角錐、円錐形状の上側面部分に使用してもよい。
【００２５】
また、開口部周縁３１に易開封蓋材２とは別にポリエチレンなどの薄膜などを融着、あるいは形成しておき、易開封蓋材２を開封後、上記薄膜にストローなどを突き刺して、２段階で開封するようにしても良い。
【００２６】
本発明は以上のようなもので、容器本体は紙容器としたが、紙製であっても、プラスチックシートの成形加工したものや、真空成形や圧空成形したものであっても、射出成形したものでもかまわない。
紙製の場合、本体として、坪量が２００ｇ／ｍ２から８００ｇ／ｍ２で、密度を０．６〜１．１ｇ／ｃｍ３の紙を基材にして、紙の表裏をポリエチレンなどの熱可塑性樹脂フィルムで覆い、ビク刃で打ち抜き、周囲を貼りあわせた積層シートを用いると良い。
【００２７】
開口部周縁３１に易開封蓋材２とは別にポリエチレンなどの薄膜などを形成しておくには、基材の紙に開口部を予め開口し、その後、外層面、あるいは内面全体に樹脂膜を貼り合わせる方法で、容易に製造することが出来る。
【００２８】
本発明の易開封蓋材に使用する基材の紙は、坪量を２００ｇ／ｍ２から５００ｇ／ｍ２の板紙で、表面に印刷する場合には、片面が白いコートマニラ、コートボール、アイボリーなどを用いることができる。さらに、裏面に容器の開口部周縁とヒートシールする必要があるので、裏に１５μｍ〜８０μｍの薄いポリエチレンフィルム、エチレン・酢酸ビニル共重合体、あるいはポリプロピレンフィルムなどのシール適性に優れた熱可塑性フィルムを貼り合せた積層シートが使用される。これら熱可塑性フィルムは、内容物が食品の場合の衛生性をも考慮するもので、かつ防湿の役目もする。
これらは、ドライラミネーション機やエクストルーダーラミネーション機を用いて、容易に製造することが出来る。
【００２９】
本発明は以上のようなもので、融着した蓋を容易に開封しやすくしたものである。
本発明の易開封蓋材は、シール部に紙ムケ等がなく、外観上きれいに、確実に開封可能とすることができるほか、抜きの刃に切り込み用刃を追加するだけなので、生産性も高く、コストの上昇も抑えられるなど、本発明のメリットは大きい。
【符号の説明】
【００３０】
１・・・・・・・・・容器
１１・・・・・・・・上面
１２・・・・・・・・天板
２・・・・・・・・・易開封蓋材
２１・・・・・・・・掴み部
２２・・・・・・・・開口融着部
２２１・・・・・・・角部
２３・・・・・・・・仮止め部
２３１・・・・・・・突起
２４・・・・・・・・切り込み
３・・・・・・・・・開口部
３１・・・・・・・・開口部周縁
【図１】
2016150762.tif 000003
【図２】
2016150762.tif 000004
【図３】
2016150762.tif 000005
【図４】
2016150762.tif 000006
【図５】
2016150762.tif 000007
【図６】
2016150762.tif 000008